(57)【要約】【課題】  壁面やボード、パネル等の板材に対し簡単に固定することができるとともに、板材と金具との固定具合が強固であって、抜け落ちの心配がなく且つ強度向上にも資する係着金具の固定構造の提供を図る。【解決手段】  芯材２と、内部固定バネ材４と、物品保持機構３と、からなり、所定長さを有する棒状体あるいは板状体から成る芯材２の先端には前記板材を貫通するための刃状あるいは針状の突刺構造２ａが備えられるとともに、該芯材２の中間所定箇所には先端側から後端側へ向かうにつれて末広状に複数の内部固定バネ材４が備えられ、かつ、該芯材２の後端にはフックや吸盤等の物品保持機構３が備えられている係着金具の固定構造である。【選択図】図１
2013160258.tif 000002
【特許請求の範囲】
【請求項１】
壁面やボード、パネル等の板材への係着金具の固定構造であって、
芯材と、内部固定バネ材と、物品保持機構と、からなり、
所定長さを有する棒状体あるいは板状体から成る芯材の先端には前記板材を貫通するための刃状あるいは針状の突刺構造が備えられるとともに、該芯材の中間所定箇所には先端側から後端側へ向かうにつれて末広状に複数の内部固定バネ材が備えられ、かつ、該芯材の後端にはフックや吸盤等の物品保持機構が備えられていることを特徴とする係着金具の固定構造。
【請求項２】
前記係着金具の固定構造において、前記芯材における後端と前記内部固定バネ材との中間所定箇所に、後端側から先端側へ向かうにつれて末広状に複数の外部固定バネ材が備えられていることを特徴とする請求項１に記載の係着金具の固定構造。
【請求項３】
前記係着金具の固定構造において、前記芯材における後端と前記内部固定バネ材との中間所定箇所に、押止部材が摺動可能に備えられていることを特徴とする請求項１に記載の係着金具の固定構造。
【発明の詳細な説明】
【技術分野】
【０００１】
本発明は、係着金具の固定構造に関し、詳しくは、係着金具を壁面やボード、パネル等の板材へ固定するための固定構造に関するものである。
【背景技術】
【０００２】
従来より、壁面やボード、パネル等の板材に係着金具を固定して、該係着金具を介して種々物品を板材に係着することが行われている。
かかる係着金具としては、古くは単にクギやネジ、画鋲などが用いられ、最近では先端がネジ加工されたフック状金具や、先端に貼着テープ面を備えるフック状金具、先端に吸盤を備えるフック状金具などが用いられる。
【０００３】
しかしながら、かかる従来の手法によれば、クギや画鋲の場合に、板材から抜け落ちることがあり、それを踏みつけて足を怪我する危険があった。また、ネジ及び先端がネジ加工されたフック状金具の場合には、板材への取付に回転作業を要し、固定方法が煩雑であった。先端に貼着テープ面を備えるフック状金具の場合、一度板材に貼着すると取り外して別の箇所にそのまま貼着することができず、貼着テープを貼りかえる必要があった。そして、パネルやボードなどの比較的薄い板材や、裏側に空間を備える壁面などの場合、従来の手法では金具自体の固定具合が弱く、金具に係着させる物品の重量について軽量での制限を強いられ、強度的に問題のあるものであった。
【０００４】
【特許文献１】特開平９−２８０２４３号公報
【特許文献２】登録実用新案第３０９３５７０号公報
【発明の開示】
【発明が解決しようとする課題】
【０００５】
本発明は、上記問題点に鑑みてなされたものであって、壁面やボード、パネル等の板材に対し簡単に固定することができるとともに、板材と金具との固定具合が強固であって、抜け落ちの心配がなく且つ強度向上にも資する係着金具の固定構造を提供することを課題とするものである。
【課題を解決するための手段】
【０００６】
上記課題を解決するため、本発明にかかる係着金具の固定構造は、芯材と、内部固定バネ材と、物品保持機構と、からなり、所定長さを有する棒状体あるいは板状体から成る芯材の先端には前記板材を貫通するための刃状あるいは針状の突刺構造が備えられるとともに、該芯材の中間所定箇所には先端側から後端側へ向かうにつれて末広状に複数の内部固定バネ材が備えられ、かつ、該芯材の後端にはフックや吸盤等の物品保持機構が備えられている構成となっている。
【０００７】
また、本発明にかかる係着金具の固定構造は、前記芯材における後端と前記内部固定バネ材との中間所定箇所に、後端側から先端側へ向かうにつれて末広状に複数の外部固定バネ材が備えられている構成を採用し得る。
【０００８】
さらに、本発明にかかる係着金具の固定構造は、前記芯材における後端と前記内部固定バネ材との中間所定箇所に、押止部材が摺動可能に備えられている構成を採用することもできる。
【発明の効果】
【０００９】
本発明にかかる係着金具の固定構造によれば、該係着金具を壁面やボード、パネル等の板材に対し簡単に固定することが可能となる。そしてまた、固定された係着金具は、板材との固定具合が非常に強固であって、抜け落ちの心配が全くなく、それに伴い強度的にも向上して優れた作用効果を奏する。したがって、誰でも簡単かつ安全に、本発明の固定構造を備えた係着金具を使用することが可能である。
【図面の簡単な説明】
【００１０】
【図１】本発明にかかる係着金具の固定構造の第一の実施形態を示す説明図である。（実施例１）
【図２】本発明の第一の実施形態にかかる係着金具の使用態様を示す説明図である。（実施例１）
【図３】本発明にかかる係着金具の固定構造の第二の実施形態を示す説明図である。（実施例２）
【図４】本発明の第二の実施形態にかかる係着金具の使用態様を示す説明図である。（実施例２）
【発明を実施するための最良の形態】
【００１１】
本発明にかかる係着金具１の固定構造は、所定長さを有する棒状体あるいは板状体から成る芯材２の中間所定箇所に、先端側から後端側へ向かうにつれて末広状に複数の内部固定バネ材４が備えられていることを最大の特徴とする。以下、本発明にかかる係着金具１の固定構造の実施形態を、図面に基づいて説明する。
【００１２】
なお、本発明は、下記の実施形態に示した構成に特に限定されるものではなく、本発明の技術的思想の要旨に逸脱しない範囲で任意に変更することができるものである。
【実施例１】
【００１３】
図１は、本発明にかかる係着金具１の固定構造の第一の実施形態を示す説明図である。
図面に示すように、第一の実施形態にかかる係着金具１の固定構造は、芯材２と、内部固定バネ材４と、物品保持機構３と、外部固定バネ材５と、から構成されている。
【００１４】
芯材２は、棒状体あるいは板状体から成り、所定の長さを有している。なお図面では、芯材２として板状体を採用した場合について示している。該芯材２の材質については、特に限定するものではないが、係着物品に対する耐重量性や板材Ｂへの固定強度等を考慮し、金属製とすることが好ましい。
【００１５】
該芯材２の先端には、固定対象たる壁面やボード、パネル等の板材Ｂを貫通するための刃状あるいは針状の突刺構造２ａが備えられている。すなわち、芯材２が棒状体から成る場合には、該突刺構造２ａは針状となり、また、該芯材２が板状体から成る場合には、刃状の突刺構造２ａが採用される。
【００１６】
該芯材２の中間所定箇所には、内部固定バネ材４が備えられている。該内部固定バネ材４の材質については、特に限定するものではないが、芯材２と同様、係着物品に対する耐重量性や板材Ｂへの固定強度等を考慮し、金属製とすることが好ましい。
【００１７】
該内部固定バネ材４は、一の芯材２に対し、複数すなわち少なくとも二以上の内部固定バネ材４が備えられることとなる。
また、該内部固定バネ材４は、芯材２における先端側から後端側へ向かうにつれて末広状に備えられ、固定対象たる板材Ｂから芯材２の抜け落ちを防止すべく板材Ｂ内部にて逆止的に作用し、かつ、係着金具１全体を強固に支える機能を有している。
【００１８】
前記芯材２の後端には、物品保持機構３が備えられている。該物品保持機構３の構造については、特に限定はなく、例えば吸盤を備えたり、あるいは、芯材２を曲げ加工してフック状に構成する態様などが考え得る。
【００１９】
前記芯材２における後端と前記内部固定バネ材４との中間所定箇所には、外部固定バネ材５が備えられている。該外部固定バネ材５の材質については、特に限定するものではないが、芯材２及び内部固定バネ材４と同様、係着物品に対する耐重量性や板材Ｂへの固定強度等を考慮し、金属製とすることが好ましい。
【００２０】
該外部固定バネ材５は、一の芯材２に対し、複数すなわち少なくとも二以上の外部固定バネ材５が備えられることとなる。
また、該外部固定バネ材５は、芯材２における後端側から先端側へ向かうにつれて末広状に備えられ、前記内部固定バネ材４とともに板材Ｂを挟み込んで、係着金具１全体を強固に支える機能を有している。
なお、該外部固定バネ材５は、その最終端５ａが前記内部固定バネ材４の内側に位置するように、すなわち内部固定バネ材４と芯材２の間に外部固定バネ材５の最終端５ａが位置するように、備えられることとなる。
【００２１】
以上の通り構成される第一の実施形態にかかる係着金具１の固定構造について、次に当該固定構造を採用した係着金具１の使用態様について説明する。図２は、本発明の第一の実施形態にかかる係着金具１の使用態様を示す説明図である。
【００２２】
当該係着金具１を板材Ｂに取付・固定するに際しては、該係着金具１を手作業により板材Ｂへ押し込むか、あるいは機械的に押し込むこととなる。
すなわち、図２に示すように、まず係着金具１について、取付対象たる板材Ｂの外面から、芯材２の先端に備えられた突刺構造２ａが突き刺さるように押し込む。このとき、板材Ｂの強度や厚みによっては押し込みが困難な場合も考えられるため、場合によって金槌等の打撃具を使用したり、あるいは、予め板材Ｂに孔を開けておくことも考え得る。内部固定バネ材４は、突刺構造２ａによって板材Ｂに開けられた孔を芯材２が進むにつれ、該孔によって芯材２側へ押さえ込まれる。ところで、外部固定バネ材５の最終端５ａは内部固定バネ材４の内側に位置することから、該内部固定バネ材４が押さえ込まれるのに従って、外部固定バネ材５もまた芯材２側へ押さえ込まれることとなる。そして、係着金具１の押し込みが進んで、内部固定バネ材４の最終端４ａが板材Ｂに開けられた孔を通り抜けたとき、該内部固定バネ材４は、バネの弾性作用により元の状態へと拡がる。なお、このとき外部固定バネ材５は、板材Ｂに開けられた孔によって芯材２側へ押さえ込まれた状態のままである。
【００２３】
次いで、今度は係着金具１を逆方向へ、すなわち芯材２の後端方向へ引っ張る。すると、元の状態に拡がった内部固定バネ材４の最終端４ａが板材Ｂの内面に当接し、さらに係着金具１を引っ張ることで、該内部固定バネ材４が該板材Ｂの内面に押されて外側へ拡げられる。そして、係着金具１の引っ張りが進んで、外部固定バネ材５の最終端５ａが板材Ｂに開けられた孔を通り抜けたとき、該外部固定バネ材５は、バネの弾性作用により元の状態へと拡がる。
最後に作業していた手を係着金具１から放すことで、内部固定バネ材４の弾性作用により、芯材２の先端方向へ係着金具１が独自に若干押し込まれる。そして、元の状態に拡がった外部固定バネ材５の最終端５ａが板材Ｂの外面に当接し、内部固定バネ材４と外部固定バネ材５とで板材Ｂが挟み込まれる。以上により、係着金具１は板材Ｂに固定されることとなる。
【実施例２】
【００２４】
図３は、本発明にかかる係着金具１の固定構造の第二の実施形態を示す説明図である。
図面に示すように、第二の実施形態にかかる係着金具１の固定構造は、芯材２と、内部固定バネ材４と、物品保持機構３と、押止部材６と、から構成されている。
なお、本実施形態において、押止部材６以外の芯材２、内部固定バネ材４及び物品保持機構３の構成態様については、上述した第一の実施形態と同様であるため、説明は省略する。
【００２５】
前記芯材２における後端と前記内部固定バネ材４との中間所定箇所には、押止部材６が備えられている。該押止部材６の材質については、特に限定するものではないが、ゴム等の合成樹脂製とすることが好ましい。
【００２６】
該押止部材６は、一の芯材２に対し、一乃至複数備えられる。
また、該押止部材６は、芯材２における後端と前記内部固定バネ材４との間を摺動可能に備えられ、前記内部固定バネ材４とともに板材Ｂを挟み込んで、係着金具１全体を強固に支える機能を有している。
【００２７】
以上の通り構成される第二の実施形態にかかる係着金具１の固定構造について、次に当該固定構造を採用した係着金具１の使用態様について説明する。図４は、本発明の第一の実施形態にかかる係着金具１の使用態様を示す説明図である。
【００２８】
当該係着金具１を板材Ｂに取付・固定するに際しては、上記実施例１同様、該係着金具１を手作業により板材Ｂへ押し込むか、あるいは機械的に押し込むこととなる。
すなわち、図４に示すように、まず係着金具１について、取付対象たる板材Ｂの外面から、芯材２の先端に備えられた突刺構造２ａが突き刺さるように押し込む。このとき、板材Ｂの強度や厚みによっては押し込みが困難な場合も考えられるため、場合によって金槌等の打撃具を使用したり、あるいは、予め板材Ｂに孔を開けておくことも考え得る。内部固定バネ材４は、突刺構造２ａによって板材Ｂに開けられた孔を芯材２が進むにつれ、該孔によって芯材２側へ押さえ込まれる。そして、係着金具１の押し込みが進んで、内部固定バネ材４の最終端４ａが板材Ｂに開けられた孔を通り抜けたとき、該内部固定バネ材４は、バネの弾性作用により元の状態へと拡がる。なお、このとき押止部材６は、板材Ｂと物品保持機構３すなわち芯材２の後端との間において、芯材２に備えられた状態のままである。
【００２９】
次いで、今度は係着金具１を逆方向へ、すなわち芯材２の後端方向へ引っ張る。すると、元の状態に拡がった内部固定バネ材４の最終端４ａが板材Ｂの内面に当接し、さらに係着金具１を引っ張ることで、該内部固定バネ材４が該板材Ｂの内面に押されて外側へ拡げられる。その状態において、芯材２に備えられた押止部材６を板材Ｂの外面に当接させるように摺動させる。
最後に作業していた手を係着金具１から放すことで、内部固定バネ材４の弾性作用により、芯材２の先端方向へ係着金具１が独自に若干押し込まれる。そして、その押し込まれた分だけ、板材Ｂの外面に当接する押止部材６も、その位置が芯材２の後端方向に若干戻され、内部固定バネ材４と押止部材６とで板材Ｂが挟み込まれる。以上により、係着金具１は板材Ｂに固定されることとなる。
【産業上の利用可能性】
【００３０】
本発明にかかる係着金具１の固定構造は、該係着金具１を壁面やボード、パネル等の板材Ｂに対し簡単に取付・固定することが可能であるとともに、取付・固定された係着金具１は、板材Ｂとの固定具合が非常に強固であって、抜け落ちの心配が全くなく、それに伴い優れた強度的向上効果を奏するものである。したがって、誰でも簡単かつ安全に、本発明の固定構造を備えた係着金具１を使用することが可能であって、本発明の産業上の利用可能性は大である。
【符号の説明】
【００３１】
１    係着金具
２    芯材
２ａ  突刺構造
３    物品保持機構
４    内部固定バネ材
４ａ  内部固定バネ材の最終端
５    外部固定バネ材
５ａ  外部固定バネ材の最終端
６    押止部材
Ｂ    板材
【図１】
2013160258.tif 000003
【図２】
2013160258.tif 000004
【図３】
2013160258.tif 000005
【図４】
2013160258.tif 000006